(57)【要約】【課題】乳幼児用装置のためのボトル保持システム及び給餌システムを提供する。【解決手段】乳幼児用装置のためのボトル保持システムは、ビームを有するフレームアッセンブリを有する。アタッチメントがビームを通じて挿入され、ビームにボトルが固定される。【選択図】図１
2018020118.tif 000002
【特許請求の範囲】
【請求項１】
ボトル保持システムであって、
ビームを有するフレームアッセンブリと、
前記ビームを通じて挿入され、前記ビームにボトルを固定するアタッチメントと
を備える乳幼児用装置のためのボトル保持システム。
【請求項２】
前記アタッチメントが、アタッチメントチューブを備え、前記ビームが、前記アタッチメントチューブを通じて挿入される請求項１に記載のボトル保持システム。
【請求項３】
前記アタッチメントが、
縦方向の空洞と、
前記縦方向の空洞に結合されたアタッチメントチューブであって、前記ビームが、前記アタッチメントチューブを通じて挿入される、前記アタッチメントチューブと、
前記ボトルを固定する前記アタッチメントチューブに結合されたホルダーと
を備える請求項１に記載のボトル保持システム。
【請求項４】
前記アタッチメントチューブと前記ホルダーとの間に結合されたサポートビームを備える請求項３に記載のボトル保持システム。
【請求項５】
前記ホルダーが、
ベース部材と、及び
前記ベース部材に形成された開口部と
を備える請求項３に記載のボトル保持システム。
【請求項６】
前記開口部が、前記ボトルの形状とほぼ同じ外周を有する請求項５に記載のボトル保持システム。
【請求項７】
前記フレームアッセンブリが、
第１ロッド及び第２ロッドを有する第１部材と、
第１ロッド及び第２ロッドを有する第２部材と
を備え、
前記第１部材の前記第１ロッドが前記第２部材の前記第２ロッドに結合されて第１ビームを形成し、前記第１部材の前記第２ロッドが前記第２部材の前記第１ロッドに結合されて第２ビームを形成し、
前記アタッチメントが、前記第１ビーム又は前記第２ビームの一方を通じて挿入される、請求項１に記載のボトル保持システム。
【請求項８】
前記第１及び第２部材が、前記第１ロッド及び前記第２ロッドを分離する縦方向部分を備える請求項７に記載のボトル保持システム。
【請求項９】
前記縦方向部分が矩形であり、前記第１及び第２ロッドが前記縦方向部分の頂部で曲がっている請求項８に記載のボトル保持システム。
【請求項１０】
前記第１及び第２部材の前記第１ロッドが雄コネクタを備え、前記第１及び第２部材の前記第２ロッドが雌コネクタを備える請求項１に記載のボトル保持システム。
【請求項１１】
前記フレームアッセンブリが、第１部材と、第２部材とを備え、
前記ビームが前記第１部材から前記第２部材まで延在し、前記ビームの長さが前記乳幼児用装置に基づいて調整される請求項１に記載のボトル保持システム。
【請求項１２】
前記第１部材及び前記第２部材が、外側部分及び内側部分を備える請求項１１に記載のボトル保持システム。
【請求項１３】
前記外側部分及び前記内側部分がスロットを形成する請求項１２に記載のボトル保持システム。
【請求項１４】
前記第１部材及び前記第２部材が、前記ボトル保持システムを前記乳幼児用装置に接続するための留め具を備える請求項１１に記載のボトル保持システム。
【請求項１５】
前記ビームが、中間部によって分離される第１側部と第２側部を備える請求項１１に記載のボトル保持システム。
【請求項１６】
前記第１側部及び前記第２側部が、前記ビームの長さを調整する前記中間部の上を摺動する請求項１５に記載のボトル保持システム。
【請求項１７】
乳幼児用装置のための給餌システムであって、
ビームを有し、前記ビームの長さが前記乳幼児用装置に基づいて調節される構造と、
前記ビームを通じて挿入され、哺乳瓶を前記ビームに固定するアタッチメントと
を備える乳幼児用装置のための給餌システム。
【請求項１８】
前記アタッチメントがアタッチメントチューブを備え、前記ビームが、前記アタッチメントチューブを通じて挿入される請求項１７に記載の乳幼児用装置のための給餌システム。
【請求項１９】
前記アタッチメントが、
縦方向の空洞と、
前記縦方向の空洞に結合されたアタッチメントチューブであって、前記ビームが、前記アタッチメントチューブを通じて挿入される、前記アタッチメントチューブと、
前記哺乳瓶を固定する前記アタッチメントチューブに結合されたホルダーと、
前記アタッチメントチューブと前記ホルダーとの間に結合されたサポートビームと
を備える請求項１７に記載の乳幼児用装置のための給餌システム。
【請求項２０】
前記ホルダーが、ベース部材と、
前記ベース部材に形成された開口部とを備え、
前記開口部が、前記哺乳瓶の形状とほぼ同じ外周を有する請求項１９に記載の乳幼児用装置のための給餌システム。
【発明の詳細な説明】
【技術分野】
【０００１】
本開示は、一般にボトルホルダーに関し、より詳細には、哺乳瓶を固定するためのアタッチメントを有する運搬可能な構造に関する。
【背景技術】
【０００２】
新生児は、平均して２〜３時間おきに１回の給餌毎に約２〜３オンスを摂取する。給餌は１日に７〜９回行うことができる。給餌の頻度は、乳幼児が成長し、各給餌の際に、より多く摂取が行われることにより減少し得る。残念なことに、ボトル給餌は、長期間且つ頻繁にボトルが要求の厳しい位置に保持され得るため、介護者に対して物理的な緊張を引き起こす可能性がある。介護者は哺乳瓶を保持する際に背中、肩及び手首に負担をかけることがある。更に、介護者は、完了すべき他の仕事や雑用を有することがあり、給餌のために十分な時間を捧げることができない場合がある。
【０００３】
現在、数多くの哺乳瓶ホルダーが市場に存在している。しかしながら、それらは乳幼児が給餌時に取り得る様々なポジションに対して適応することができない。例えば、乳幼児はホルダーに関して位置を変えることがあり、角度の制約によりボトルを使用不能にする。それらホルダーはセットアップしてそれらを別の場所に再配置させるために不便であるかもしれない。更に、給餌はホルダーが存在しないベビーキャリア内において頻繁に行われることが多い。
【発明の概要】
【発明が解決しようとする課題】
【０００４】
本開示は、記載された懸案事項のそれぞれを解決するボトル保持システムを提供するものである。本明細書に記載のボトル保持システムは容易に運搬可能であり、乳幼児の異なる給餌位置及びスタイルに適合させることができる。本システムは、ベビーキャリアに設置することもできる。他の利益及び利点は、本明細書で提供される開示から明らかになるものであり、上記例示である。
【課題を解決するための手段】
【０００５】
この要約は、概念の選択を簡略化した形式で紹介するために提供されるものであり、「発明を実施するための形態」において更に説明されるものである。この要約は、特許請求された主題の重要な特徴を特定することを意図するものでなく、特許請求される主題の範囲を決定する助けとして利用されることを意図するものではない。
【０００６】
本開示の一態様によれば、乳幼児用装置のためのボトル保持システムが提供される。ボトル保持システムは、ビーム（梁）を有するフレームアッセンブリを有する。アタッチメントはビームを通じて挿入され、ビームにボトルを固定する。
【０００７】
本開示の他の一態様によれば、乳幼児用装置のための給餌システムが提供される。給餌システムは、ビームを有する構造を有し、ビームの長さが乳幼児用装置に基づいて調節される。アタッチメントは、ビームを通じて挿入され、哺乳瓶を乳幼児用装置に固定する。
【０００８】
本開示の特徴であると考えられる新規な特徴は、添付の特許請求の範囲に記載されている。以下の説明では、同様の部品は明細書全体にわたって同じ番号を付して示している。図面は必ずしも縮尺通りには描かれておらず、一部の図は明瞭さと簡潔さのために誇張された形態または一般化された形態で示されている場合がある。しかしながら、好ましい使用モードと同様に、開示自体、それらの更なる目的および利点は、添付の図面と併せて読んだ場合に、例示的な実施形態の以下の詳細な説明を参照することによって最もよく理解されるものである。
【図面の簡単な説明】
【０００９】
【図１】図１は、本開示の一態様による例示的な環境に示されたボトルを固定するための例示的なシステムである。
【図２】図２は、本開示の一態様による別の例示的な環境における例示的なシステムである。
【図３】図３は、本開示の一態様による個々の構成要素に分離された例示的なシステムの例示的な構造の上面斜視図である。
【図４】図４は、本開示の一態様によるボトルを固定する例示的なアタッチメントを有する例示的なシステムの上面斜視図である。
【図５】図５は、本開示の一態様による、中心でない位置に配置された例示的なアタッチメントを有する例示的なシステムの上面斜視図である。
【図６】図６は、本開示の一態様による例示的なアタッチメントを定位置に保持するための溝を示す例示的なシステムの上面斜視図である。
【図７】図７は、本開示の一態様による例示的なシステムの別の例示的なアタッチメントの側面斜視図である。
【図８】図８は、本開示の一態様による他の例示的なアタッチメントを有する例示的なシステムの上面斜視図である。
【図９】図９は、本開示の一態様による例示的なシステムの断面側面図である。
【図１０】図１０は、本開示の一態様による例示的なシステムの上面図である。
【図１１】図１１は、本開示の一態様によるアタッチメントの正面側面図である。
【図１２】図１２は、本開示の一態様によるアタッチメントの側面図である。
【図１３】図１３は、本開示の一態様による、ボトルをベビーキャリアに固定するための別の例示的なシステムの側面斜視図である。
【図１４】図１４は、本開示の一態様による、ボトルをベビーキャリアに固定するための例示的なシステムの側面部の詳細図である。
【図１５】図１５は、本開示の一態様による、ボトルをベビーキャリアに固定するための例示的なシステムの中間部の詳細図である。
【図１６】図１６は、本開示の一態様による模範的なシステムの別の例示的なアタッチメントの上面斜視図である。
【図１７】図１７は、本開示の一態様による例示的なシステムの例示的なアタッチメントの側面斜視図である。
【図１８】図１８は、本開示の一態様による例示的なシステムの例示的なアタッチメントのより詳細な斜視図である。
【図１９】図１９は、本開示の一態様によるノブのない例示的なシステムの例示的なアタッチメントの側面図である。
【図２０】図２０は、本開示の一態様による例示的なノブの側面図である。
【図２１】図２１は、本開示の一態様による例示的なシステムの例示的なアタッチメントの斜視図である。
【図２２】図２２は、本開示の一態様によるノブのない例示的なシステムの例示的なアタッチメントの側面図である。
【図２３】図２３は、本開示の一態様による例示的なノブの上面図である。
【図２４】図２４は、本開示の一態様によるノブのない例示的なシステムの例示的なアタッチメントの背面図である。
【図２５】図２５は、本開示の一態様による例示的なノブの正面図である。
【発明を実施するための形態】
【００１０】
前述の説明は、当業者が本明細書に記載の様々な実施形態を実施できるようにするために提供される。これらの実施形態に対する様々な変更は、当業者には容易に明らかであり、本明細書で定義される一般的な原理は、他の実施形態に適用されてもよい。したがって、特許請求の範囲は、本明細書に示され記載された実施形態に限定されることを意図するものではなく、特許請求の範囲の文言と一致する全範囲が与えられるべきであり、単数形の要素への言及は、具体的に記載されていない限り、「１つだけ」を意味するものではなく、むしろ「１つ以上」を意味するものとする。当業者に知られているか又は後に知られる本開示全体に記載された様々な実施形態の要素に対する全ての構造的及び機能的等価物は、参照により明示的に本明細書に組み込まれ、特許請求の範囲に包含されることを意図する。さらに、ここに開示されたものは、そのような開示が請求項に明示的に列挙されているかどうかにかかわらず、公衆に捧げられることを意図するものではない。
【００１１】
本開示は、ボトル保持システムに関し、そのシステムに複数の構成を提供する。より具体的には、本開示は、ベビーキャリアの正しい給餌位置に哺乳瓶を固定し、傾斜させる構造を記載している。例示的な一の実施形態では、構造は、互いに平行な第１側部部材及び第２側部部材と、それらの間に形成されたビームを有して形成されることができる。ビームの長さはベビーキャリアに基づいて調整することができる。側部部材は、アタッチメントを引っ掛けるためにビームを支持し得る。アタッチメントは、哺乳瓶を保持するためのボトル係合部分を含むことができる。アタッチメントは、正しい給餌位置を提供するように枢動することができる。
【００１２】
ボトル保持システムの多くの他の変形例又は構成例が以下に提供される説明から明らかになるであろう。有利には、ボトル保持システムの構造は、ボトル係合部分を有するアタッチメントを支持することができる。構造は、乳幼児が構造の一部分をつかみ、それを振ったり揺らしたりする際に、アタッチメントを安定させることができる。本システムは、１つの場所から別の場所への輸送のために容易に一緒にされたり分離されたりしてもよい。更には、様々なベビーキャリアがこのシステムを使用することができる。他の利点は、下記の説明から明らかになるであろう。
【００１３】
本開示は、図１及び図２のシステムにおいて複数の環境を開示し、図３〜図６において第１アタッチメントを有するシステムの構造の説明をその後に続けている。第２アタッチメントが本構造に関する追加的な詳細とともに図７〜図１２において示される。図１３〜図１５はベビーキャリアのためのボトル保持システムを説明する。図１６〜図２０は、第３アタッチメントを紹介する。
【００１４】
図１を参照すると、本開示の一態様による例示的な環境１０４に示されたボトル１０２を固定するための例示的なシステム１００が提供される。図示された環境１０４は、乳幼児１０６が、新生児または幼児に典型的に関連する給餌（哺乳）のために背中を平らにして横たわっている一実施形態を提供するものである。システム１００は、以下に提供される説明から明らかになる多数の異なる環境で使用されることができる。
【００１５】
システム１００の構造１０８は、地面１１２または他の平坦な表面上に配置することができる。システム１００は、遊び場、ベビーベッド、マットレス、バシネットなどに配置することもできる。図示されるように、構造１０８は、乳幼児１０６の上に配置されてもよい。図示された実施形態では、構造１０８の一部が乳幼児１０６の胴体の上に配置されることができる。構造１０８は、乳幼児１０６に対し、各乳幼児の給餌嗜好（摂食嗜好）に適応するための異なる角度または配置を有して設定されることができる。
【００１６】
構造１０８の幅は、予め規定されていてもよく調整可能であってもよい。典型的には、幅は、乳幼児の体を取り囲むものである。構造１０８の長さは、乳幼児１０６に応じて変化してもよい。例えば、乳幼児１０６が構造１０８をノックダウンしないように、その長さが乳幼児の足を越えて延びていてもよい。構造１０８の長さ及び幅は、構造１０８に安定性を与えるための決定要因であってもよい。
【００１７】
構造１０８の高さは、乳幼児１０６に適切に給餌するのに十分なクリアランスが与えられるように設定することができる。高さは、第１アタッチメント１１０によってピボット運動ができるようにボトル１０２の異なる位置に対するクリアランスを組み込むことができる。一実施形態では、構造１０８の高さは、環境及び乳幼児１０６に応じて増減されてもよい。
【００１８】
第１アタッチメント１１０は、乳幼児１０６に給餌することができるように、ボトル１０２を乳幼児の頭の上に保持することができる。一実施形態では、構造１０８は、アタッチメント１１０とともに、手を使わずに乳幼児１０６に給餌させることができる。図示されるように、アタッチメント１１０の長さは、高さの異なるボトル１０２が実装できるように調整されることができる。
【００１９】
一実施形態では、構造１０８は、構造１０８が乳幼児１０６によって傾けられたり倒されたりするのを防ぐために、底部に留め具（ファスナー）を含むことができる。留め具は、システム１００を地面１１２、遊び場、ベビーベッド、マットレス、バシネット等に固定することができる。以下に制限されるものではないが、留め具は、構造１０８を固定するために、フックアンドループファスナー、スナップファスナー、ボタン、ジッパー、ピン、クリップなどを含むことができる。
【００２０】
システム１００は、例えば、乳幼児１０６が自分で立ち始めたときのような他の環境においても使用することができる。図２は、本開示の一態様による別の例示的な環境２０２における例示的なシステム１００である。システム１００は、ベビーベッド２０４上などに載置され、ボトル１０２からの給餌中に乳幼児１０６が立つことができるようになっている。環境２０２は、ベビーベッド２０４内のシステム１００を示しているが、構造１０８の高さを増加させて他の形式の装置に使用することもできる。
【００２１】
システム１００は、ベビーベッド２０４の第１側部２０６及び第２側部２０８に取り付けられることができる。構造１０８の高さは、乳幼児の高さに応じて調整されてもよい。これは、ボトル係合部分を有する第１アタッチメント１１０のための追加の高さまたはクリアランスを含むことができる。ボトル１０２は、アタッチメント１１０を通じて正しい給餌位置のために、乳幼児１０６によって枢動されてもよい。
【００２２】
システム１００をベビーベッド２０４に結合するためにいくつかの留め具２１０を使用することができる。例えば、クランプ、留め金、ロック及び他のコネクタを留め具２１０として使用することができる。複数の留め具２１０をシステム１００に使用することができる。典型的には、留め具２１０は、構造１０８の外部に配置されることができる。留め具２１０は、乳幼児１０６が揺らしたり動かしたりする際にシステム１００が緩まらないように支持することができる。
【００２３】
図３は、本開示の一態様による個々の構成要素に分離された例示的なシステム１００の例示的な構造１０８の上面斜視図である。具体的には、構造１０８は、乳幼児１０６に給餌するための支持及び安定性を提供するための第１部材３０２及び第２部材３３０を含む。より少数又はより多くの構成要素を構造１０８内に設けることができ、図示のものには限定されない。
【００２４】
第１部材３０２から始めると、第１部材３０２は、第１側端部３０４及び第２側端部３０６によって囲まれた矩形部分３１２を含むことができる。矩形部分３１２は、硬質プラスチックまたは金属のような剛性材料で作ることができる。矩形部分３１２は、乳幼児１０６を楽しませるために内側の見える位置にグラフィックを含むことができる。一実施形態では、反射材料またはミラーを矩形部分３１２上に配置することができる。給餌中に乳幼児１０６を楽しませるための玩具又はほかの装置を矩形部分３１２に設けることもできる。
【００２５】
矩形部分３１２は、側端部３０４、３０６と同様に、乳幼児の体と同じ高さであってもよい。高さは、乳幼児の頭のために異なるクリアランスで設定してもよい。高さは、延長部を介して調整可能である。延長部は、側端部３０４、３０６から出入りする伸縮自在なセグメントを含むことができる。一実施形態では、構造１０８の高さのための延長部は、矩形部分３１２への接続を介して提供され得る。
【００２６】
図３の説明を続けると、第１側端部３０４から出て来る第１ロッド３０８と、第２側端部３０６から出て来る第２ロッド３１０が示されている。第１ロッド３０８及び第２ロッド３１０は、プラスチック、金属または他の材料のような剛性材料で作ることができる。ロッド３０８、３１０は一緒に組み合わされたときに第２部材３３０に向かって曲がることができる。第１部材３０２の第１ロッド３０８及び第２ロッド３１０は、上述したように、乳幼児１０６を取り囲む構造１０８によって使用される距離の半分を網羅することができる。
【００２７】
一実施形態では、第１ロッド３０８及び第２ロッド３１０は、第１側端部３０４及び第２側端部３０６内に配置され得る。側端部３０４、３０６は、ロッド３０８、３１０が適所に摺動され得るように中空にされ得る。ロッド３０８、３１０は、組立用に側端部３０４、３０６から容易に挿入されるかまたは取り外すことができる。あるいは、第１ロッド３０８及び第２ロッド３１０は、側端部３０４、３０６に永久的に取り付けられてもよい。
【００２８】
第１部材３０２上の第１ロッド３０８は、第１コネクタポイント（接続点）３１４を含むことができる。第１コネクタポイント３１４は、第２部材３３０の第２ロッド３３８上の第２コネクタポイント３４４に嵌合することができる。構造１０８を支持するために第１コネクタポイント３１４は雄コネクタを含み、第２コネクタポイント３４４は雌コネクタを含むことができる。一緒に嵌め込まれると、雄型コネクタ及び雌型コネクタが構造１０８に十分な強度をもたらし、乳幼児１０６による構造１０８への揺らし及びガタツキを克服することができる。
【００２９】
第１部材３０２の第１ロッド３０８及び第２部材３３０の第２ロッド３３８は、第１コネクタポイント３１４及び第２コネクタポイント３４４が存在しない場合にそれらを一緒に固定するための他のタイプの留め具を含むことができる。例えば、フックアンドループファスナーをロッド３０８、３３８のそれぞれに配置することができる。一実施形態では、プラスチックスリーブを第１ロッド３０８又は第２ロッド３３８に嵌合させ、他方のロッドに滑り込ませて、それらを互いに接続することができる。
【００３０】
図示した実施形態では、構造１０８を支持するための第２の接続を行うことができる。第１部材３０２上の第２ロッド３１０は、第２コネクタポイント３１６を含むことができる。第２コネクタポイント３１６は、第２部材３３０の第１ロッド３３６上の第１コネクタポイント３４２に嵌合することができる。構造１０８を支持するために、第２コネクタポイント３１６は雌コネクタを含むことができ、第１コネクタポイント３４２は雄コネクタを含むことができる。上記のように、この接続のための様々な変形例を使用することできる。両方の接続を通じて構造１０８をより強固に支持することができる。
【００３１】
上述で簡単に述べられ、ここでより詳細に提供されるように、第２部材３３０は、第１部材３０２と同様に、第１側端部３３４及び第２側端部３３２を有する矩形部分３４０を含むことができる。第１側端部３３４は、第１ロッド３３６に接続されることができ、第２側端部３３２は、第２ロッド３３８に接続されることができる。これらの構成要素は、第１部材３０２に関して上述したものと同じ構成及び実施形態を有することができる。第２部材３３０は、安定した耐久性のある構造１０８を提供するために、上述したような第１部材３０２の第１ロッド３０８と第２ロッド３１０に接続するための第２コネクタポイント３４４及び第１コネクタポイント３４２を有する第１ロッド３３６と第２ロッド３３８とを含むことができる。
【００３２】
図示されるように、構造１０８は、第２部材３３０上の第１ロッド３３６及び第２ロッド３３８に繋がれる第１部材３０２上の第２ロッド３１０及び第１ロッド３０８を含む。ロッド３０８、３１０、３３６、３３８を嵌合させることにより、乳幼児１０６によって生成される力に耐える安定したリジットな構造が形成される。ロッド３０８、３１０、３３６、３３８自体は、構造１０８を形成するために相互に連結されるときには垂直方向に延び、水平方向のところで終わっている。接続されると、ロッド３０８、３１０、３３６、３３８は、複数のビームを形成する。
【００３３】
図４は、本開示の一態様によるボトル１０２を固定する例示的なアタッチメント１１０を備えた例示的なシステム１００の上面斜視図である。第１アタッチメント１１０を支持するために、少なくとも１のビーム４１０、４２０が構造１０８によって提供され得る。２つのビーム４１０及び４２０が示されているが、単一のビームまたは３つ以上のビームが使用されてもよい。典型的には、ビームが多いほど、構造１０８及びシステム１００に対してより完全性及び安定性を提供し得るものである。
【００３４】
システム１００の構造１０８の第１ビーム４１０は、第１部材３０２及び第２部材３３０から形成されることができる。一実施形態では、図示のように、第１部材３０２のロッド３０８は、第２部材３３０の第２ロッド３３８に結合されることができる。雌コネクタと雄コネクタは先に示したが、他のタイプの接続を使用してもよく、それらに限定されない。第１ビーム４１０は、ロッド３０８、３３８を介して、それぞれの部材３０２、３３０から垂直方向に始まり（延び）、接続が生じる中点で交差するように水平方向に曲がる。そのアーチは構造１０８を支持することができる。
【００３５】
構造の第２ビーム４２０も同様に、第１部材３０２及び第２部材３３０から形成されることができる。第１部材３０２の第２ロッド３１０は、第２部材３３０の第１ロッド３３６に接続されることができる。雌及び雌コネクタは、他のタイプと共に使用されてもよく、上述で開示したものに限定されない。第１ロッド３３６及び第２ロッド３１０から形成される第２ビーム４２０は、第１ビーム４１０と同様のアーチを含んでもよい。
【００３６】
図４に示すように、第１ビーム４１０または第２ビーム４２０は、第１アタッチメント１１０を支持することができる。一実施形態では、アタッチメント１１０は、ボトル１０６の給餌位置を調整するように枢動することができる。先には単一の揺動位置として示したが、アタッチメント１１０は、ボトル１０６を異なる角度で回転させ、第２ビーム４２０に沿って上下に揺動させることができる。
【００３７】
第１アタッチメント１１０は、限定されるものではないが、ボルト４３２、フック４３４、及び留め金４３６を含む多くの構成要素を含むことができる。アタッチメント１１０は一例として示されたものであり、限定されるものとして解釈されるべきではない。第２アタッチメントは以下に示されており、アタッチメントの様々な組み合わせを提供するためにそれらの間に追加のまたはより少ない構成要素が採用されていてもよい。
【００３８】
第１アタッチメント１１０のボルト４３２を使用して、アタッチメント１１０を第２ビーム４２０に固定することができる。ボルト４３２は、アタッチメント１１０を開放又は固定するために、例えば、ねじ及びねじ山を介して緩ませたり締めたりすることができる。アタッチメント１１０をビーム４２０に固定するために、他のタイプの機構を使用することができる。
【００３９】
フック４３４は、第１アタッチメント１１０をビーム４２０上に配置することを可能にし、ボルト４３２は、フック４３４をビーム４２０上の所定の位置に固定する。フック４３４は、ビーム４２０上でそれを滑らせることを可能にするための開口部を有する。フック４３４に接続されるのは留め金４３６であり得る。本明細書に示される各アタッチメントはボトル係合部分を含むことができ、図示されているのは一実施形態によれば留め金４３６であり得る。留め金４３６は、ボトル係合部分として、ボトル１０２を適所に把持することができる。様々なタイプの留め金４３６を、ボトル１０２の異なるタイプの構成に応じて使用することができる。ボトル１０２は、様々なサイズ及び形状であってもよい。
【００４０】
一実施形態では、フック４３４と留め金４３６との間の距離は変化してもよい。それらの間の間隔が留め金４３６を下げることを可能にする。間隔は乳幼児１０６に応じて調整することができる。例えば、フック４３４の底部と留め金４３６の上部との間にこれら２つを溶接することなく延長部を配置することで、簡単な延長部を使用することができる。
【００４１】
フック４３４は、ボルト４３２を介してビーム４２０に固定されてもよく、これにより、上記のように、第１アタッチメント１１０の動きがビーム４２０を上下に揺動させるのを抑制し得る。留め金４３６によって保持されるボトル１０２も固定される。あるいは、フック４３４がビーム４２０に沿って枢動して、アタッチメント１１０を上下に揺動させることを可能にし得る。ピボット運動により、留め金４３６に取り付けられたボトル１０２を介して、乳幼児へ給餌するために別の角度を提供してもよい。一実施形態では、留め金４３６もその頂部で回転し、これによりボトル１０２を最適な給餌位置となるように上下左右に移動できるようにすることができる。
【００４２】
図５は、本開示の一態様による、中心でない位置に配置された例示的なアタッチメント１１０を有する例示的なシステム１００の上面斜視図である。あらかじめ、第１アタッチメント１１０は、第２ビーム４２０の中心点に設定したが、アタッチメント１１０は、第１ビーム４１０及び第２ビーム４２０を含む構造１０８に沿った多数の異なるポイントに沿って配置されることができる。
【００４３】
第１アタッチメント１１０を固定するために第２ポイント５０２を使用することができる。前述したように、アタッチメント１１０のボルト４３２を下げたり、持ち上げたりすることにより、アタッチメント１１０をポイント５０２に固定することができる。ボトル１０２は留め金４３６に取り付けることができ、乳幼児１０６に対して異なる給餌位置または角度を提供することができる。ボトル１０２は、上述した機構を介して上下、左右に揺動するように調整することもできる。
【００４４】
図６は、本開示の一態様による例示的なアタッチメント１１０を定位置に保持するための溝６０２を示す例示的なシステム１００の上面斜視図である。さらなる固定機構を提供するために、アタッチメント１１０が、第２ビーム４２０に沿った１の溝６０２に配置されてもよい。一実施形態では、溝６０２は、ビーム４２０上のそれらの位置に応じて変化してもよい。例えば、ビーム４２０の端部に近づくにつれて溝６０２が深くなる。これにより、留め金４３６を有するフック４３４をビーム４２０に一層良好に固定することができる。一実施形態では、溝６０２は、第１ビーム４１０上に配置することができる。
【００４５】
図７を参照すると、本開示の一態様による例示的なシステム１００の別の例示的なアタッチメント７１０の側面斜視図が提供される。ビーム４２０に接続された単一のアタッチメントとして示されているが、構造１０８は、２つ以上のアタッチメントを支持することができる。第２アタッチメント７１０は、溶接部（接合部）７１６によって一緒に保持されるクランプ７１２及びキャッチ７１４、またはボトル係合部分を含むことができるが、これに限定されない。
【００４６】
第１アタッチメント１１０は、第２アタッチメント７１０と同様に、図示されるように、第１部材３０２の第２ロッド３１０及び第２部材３３０の第１ロッド３３６によって形成された第２ビーム４２０に沿って、又は構造１０８上で他のビームに沿って、配置されることができる。前述した溝６０２は、アタッチメント７１０をビーム４２０の中心を含む所定位置に、またはビーム４２０上の異なる位置にしっかりと固定するために使用されてもよい。
【００４７】
第２アタッチメント７１０のクランプ７１２は第２ビーム４２０に対して強度をも提供し得る。第１アタッチメント１１０のフック４３４よりも幅広いクランプ７１２は、第１ロッド３３６に対して第２ロッド３１０を確実に保持させることができる。クランプ７１２は、ビーム４２０に挿通され得る開口部を有してもよい。このようにして、ユーザは、クランプ７１２をビーム４２０上で滑らせ、しっかりと保持することができる。
【００４８】
実施形態においては、フック４３４及びクランプ７１２は、完全な円状（環状）であってもよい。完全な円状のフック４３４またはクランプ７１２を第２ビーム４２０に取り付けるためには、第２ロッド３１０及び第１ロッド３３６を外し、フック４３４またはクランプ７１２をその上でスライドさせ、第２ロッド３１０及び第１ロッド３３６を再接続する。その後、フック４３４またはクランプ７１２を位置決めする。円状のフック４３４またはクランプ７１２は、同様の技術によって第１ビーム４１０上に配置されてもよい。有利なことに、第１アタッチメント１１０または第２アタッチメント７１０は、より確実に構造１０８に保持できる。
【００４９】
クランプ７１２には、第２アタッチメント７１０の下部にあるキャッチ７１４を接続することができる。溶接部７１６は、物理的な溶接または２つを一緒に維持する他のタイプの接続であってもよい。クランプ７１２とキャッチ７１４との間の距離を変えることができる延長部を使用することができる。
【００５０】
第１アタッチメント１１０の留め金４３６よりも著しく幅が大きいキャッチ７１４を用いて乳幼児１０６のためにボトル１０２を保持することができる。このボトル係合部分は、寸法及びサイズが変化するボトル１０２を保持することができる。留め金４３６及びキャッチ７１４を含むボトル係合部分は、第１アタッチメント１１０及び第２アタッチメント７１０において相互に入れ替えることができる。例えば、第１アタッチメント１１０のフック４３４は、第２アタッチメント７１０のキャッチ７１４と対になり得る。第２アタッチメント７１０のクランプ７１２は、第１アタッチメント１１０の留め金４３６と対になり得る。
【００５１】
実施形態では、留め金４３６またはキャッチ７１４は、完全な円状であってもよい。ボトル１０２は、留め金４３６またはキャッチ７１４の一方の側面に嵌合されてもよい。完全な円状の留め金４３６またはキャッチ７１４は、ボトル１０２をより強固に保持可能にすることができる。
【００５２】
図８は、本開示の一態様による他の例示的なアタッチメント７１０を有する例示的なシステム１００の上面斜視図である。上述したように、溝６０２は、第１ビーム４１０、第２ビーム４２０、またはその両方に含まれてもよい。本斜視図は、クランプ７１２が、システム１００の構造１０８に対して第２ビーム４２０の中心に繋がれ、その下にキャッチ７１４があることを示す。他の変形例は上記に示した通りである。
【００５３】
ここで、システム１００の構造１０８に関する更なる詳細を参照すると、図９は、本開示の一態様による例示的なシステム１００の断面側面図である。第１部材３０２及び第２部材３３０は、地面１１２に対して垂直に配置されることができる。第１部材３０２の第２側端部３０６から延在するのは、第２部材３３０の第１側端部３３４から延びる第１ロッド３３６に接続された第２ロッド３１０であり得る。２つのロッド３３６、３０６の組み合わせは、第２ビーム４２０を形成することができる。
【００５４】
２つのロッド３１０、３３６の間の接続を具体的に指摘するために、第１部材３０２の第２ロッド３１０の第２コネクタポイント３１６が雌コネクタを含んでもよい。第１コネクタポイント３４２が第２コネクタポイント３１６によって取り囲まれ得るため、第２部材３３０上の第１ロッド３３６の雄コネクタである第１コネクタポイント３４２が嵌合する際に、丈夫な構造１０８が提供される。一実施形態では構造１０８に対する追加の支持を提供するために、第２アタッチメント７１０のキャッチ７１４を有するクランプ７１２を使用して、第１ロッド３３６と第２ロッド３１０をさらに保持することができる。
【００５５】
図１０は、本開示の一態様による例示的なシステム１００の上面図である。第１部材３０２の矩形部分３１２は、第１ロッド３０８及び第２ロッド３１０を有する。第２部材３３０の矩形部分３４０は、第１ロッド３３６及び第２ロッド３３８を有する。
【００５６】
第１ビーム４１０は、雄コネクタであり得る第１コネクタポイント３１４を有する第１ロッド３０８と、雌コネクタであり得る第２コネクタポイント３４４を有する第２ロッド３３８により形成されることができる。第２ビーム４２０は、雌コネクタであり得る第２コネクタポイント３１６を有する第２ロッド３１０により形成されることができる。雌コネクタに嵌合された雄コネクタは、安定な構造１０８を提供する。
【００５７】
第１部材３０２及び第２部材３３０は、雌雄の両方のコネクタを有するものとして示されているが、構造１０８はこの構成に限定されない。例えば、第１部材３０２は２つの雄コネクタを有し、第２部材３３０は２つの雌コネクタを有してもよい。一実施形態では、雌雄コネクタは、コネクタポイントの上に嵌合することができるスリーブなどの他のタイプの固定機構のために取り外される。
【００５８】
図１１は、本開示の一態様によるアタッチメント７１０の正面側面図である。より詳細にみると、第１ロッド３３６の第１コネクタポイント３４２が第２ロッド３１０の第２コネクタポイント３１６内に挿入されて第２ビーム４２０を形成している。第２アタッチメント７１０は、第１ロッド３３６と第２ロッド３１０が互いに接続される位置に配置されている。
【００５９】
先に説明したように、第２アタッチメント７１０のクランプ７１２は、構造１０８を安定化させるための第２支持部を提供してもよい。一実施形態では、クランプ７１２に取り付けられたキャッチ７１４は、先に説明した溶接部７１６を取り除くように調整されることができる。クランプ７１２とキャッチ７１４との間の距離を縮小または拡大するためにアジャスター１１０２を使用することができる。一実施形態では、アジャスター１１０２は、長さを調整するための簡単なねじ及びねじ山部材を含み、これにより長さを調整し、キャッチ７１４が回転する。アジャスター１１０２は、第１アタッチメント１１０にも使用することができる。
【００６０】
図１２は、本開示の一態様によるアタッチメント７１０の側面図である。先に述べたように、アタッチメント７１０は、クランプ７１２及びキャッチ７１４を含むことができる。クランプ７１２は、第２ビーム４２０を取り囲むことができる。さらに、アジャスター１１０２は、クランプ７１２とキャッチ７１４との間の距離を伸ばしたり縮めたりするのに使用することができる。
【００６１】
アジャスター１１０２は、頂部１２０２、中間部１２０４及び底部１２０６を含むことができる。アジャスター１１０２の頂部１２０２はクランプ７１２にそれが移動しないように恒久的に固定されることができる。中間部１２０４は調整のために異なる長さを提供し、底部１２０６はキャッチ７１４に固定されてもよい。中間部１２０４の長さを調整するために、キャッチ７１４はねじ及びねじ山を介して回転してもよい。これにより、アジャスター１１０２は、クランプ７１２とキャッチ７１４との間の長さを変化させることができる
【００６２】
図１３は、本開示の一態様による、ボトル１０２をベビーキャリアに固定するための別の例示的なシステム１３００の側面斜視図である。図示されたシステム１３００は、乳幼児１０６がキャリア内において座って給餌される一実施形態を提供する。しかしながら、本システム１３００は、以下に提供される説明から明らかになる多数の異なる環境で使用されてもよい。
【００６３】
ボトル保持システム１３００は、一構成において、第１側部部材１３０２、第２側部部材１３１０、及び第１側部部材１３０２から第２側部部材１３１０まで延びるビーム１３４０を含むことができる。ビーム１３４０の長さは、ベビーキャリアに基づいて調整することができる。例えば、ベビーキャリアの片側から他側への距離は製造業者によって異なることがある。システム１３００は、ポータブルであってもよく、子供の人生の異なる段階にも使用することができる。すなわち、子供が成長するにつれて異なるキャリアが使用されることができ、ビーム１３４０の長さは使用されるキャリアに応じて調整され得る。
【００６４】
ボトル保持システム１３００の第１側部部材１３０２は、限定するものではないが、頂部において互いに結合され得る外側部分１３０４及び内側部分１３０６を含み得る。外側部分１３０４及び内側部分１３０６は、金属、プラスチックなどの単一の頑丈な材料から形成することができる。スロット１３０８は、第２側部部材１３１０に関してさらに詳細に説明されるが、外側部分１３０４及び内側部分１３０６を介して形成されてもよい。
【００６５】
外側部分１３０４及び内側部分１３０６は、クランプを形成することができる。内側部分１３０６は、外側部分１３０４に向かって角度を有するか傾斜していてもよい。一実施形態では、傾斜によって内側部分１３０６を外側部分１３０４に接触させることができる。第１側部部材１３０２は、クランプを介して、堅固でぴったりとした嵌め合いを通じてベビーキャリアに結合してもよい。第１側部部材１３０２をキャリアに固定するために、他のタイプの止め具、例えばフックアンドループファスナー、ボルト及びナット、紐などを使用することができる。
【００６６】
一実施形態では、図１３に示すように、第１側部部材１３０２は、第２側部部材１３１０と同様に六角形状に形成されてもよい。側部部材１３０２は図示のものに限定されず、他の形状を使用することができる。さらに、一実施形態によれば、第１側部部材１３０２は、伸長可能であるか又は調整可能であってもよい。側部部材１３０２は、止め具を介して高さ方向に垂直に高くなってもよいし、側部部材１３０２自体がその高さを高くさせてもよい。第１側部部材１３０２及び第２側部部材１３１０が設定され得る角度は、キャリア及び乳幼児１０６に応じて変化し得る。
【００６７】
第２側部部材１３１０は同様に、これに限定されるものではないが、頂部で互いに結合され得る外側部分１３１２及び内側部分１３１４を含むことができる。第２側部部材１３１０は、第１側部部材１３０２と同様の材料で構成されてもよい。外側部分１３１２及び内側部分１３１４は、第１側部部材１３０２に関して前述したように、スロット１３１６を形成し、クランプを形成してもよい。即ち、内側部分１３１４は外側部分１３１２に向かって角度を有するか又は傾斜していてもよい。
【００６８】
第２側部部材１３１０も、キャリア及び乳幼児１０６に対して、例えば、第２側部部材１３１０が配置され得るところに対して垂直方向及び角度を有して伸縮可能であり、調節可能であってもよい。典型的には、第２側部部材１３１０が配置され固定される高さ及び角度は、第１側部部材１３０２に対応する。
【００６９】
第１側部部材１３０２及び第２側部部材１３１０は、キャリアに固定されてもよい。一実施態様では、クランプは、より確実に配置するために、アームレストの頂部を保持するスロット１３０８及び１３１６を有するベビーキャリアのアームレストの頂部に取り付けることができる。ボトル保持システム１３００をベビーキャリアに固定するために、他のタイプの留め具を使用することができる。例えば、ナット及びボルトを使用することができる。
【００７０】
図１３を続けると、ボトル保持システム１３００のビーム１３４０は、互いに平行な第１側部部材１３０２及び第２側部部材１３１０に結合されてもよい。ビーム１３４０は、第１側部部材１３０２及び第２側部部材１３１０に溶接されてもよい。あるいは、ビーム１３４０は、第１側部部材１３０２及び第２側部部材１３１０に固定されてもよいが、そこから取り外されてもよい。ビーム１３４０が第１側部部材１３０２及び第２側部部材１３１０から取り除かれることを可能にするような接着剤、ナット及びボルトなどを使用することができる。
【００７１】
ビーム１３４０は、第１側部部材１３０２から第２側部部材１３１０まで延びることができる。ビーム１３４０の長さはベビーキャリアに基づいて、例えばアームレスト間の距離に基づいて調整することができる。さらに、ビーム１３４０は垂直方向に調整することができる。一実施形態では、ビーム１３４０に対する垂直方向の延長部を使用することができる。
【００７２】
ビーム１３４０は、第１側部１３１８、第２側部１３２０及び中間部１３２２を含むことができるが、これに限定されない。ビーム１３４０は、金属、プラスチックなどで作ることができる。第１側部１３１８は、第１側部部材１３０２に結合され、第２側部１３２０は第２側部部材１３１０に結合されてもよく、両結合部は上述のように永久的であっても一時的であってもよい。典型的には、第１側部１３１８と第２側部１３２０は同じ長さとすることができる。
【００７３】
ビーム１３４０の第１側部１３１８と第２側部１３２０との間に中間部１３２２を配置することができる。中間部１３２２はビーム１３４０の長さを増減するために直径が小さくても大きくてもよい。例えば、中間部１３２２の直径が小さい場合、第１側部１３１８または第２側部１３２０が中間部１３２２上を摺動し、それによってビーム１３４０の長さを短くすることができる。逆に、第１側部１３１８又は第２側部１３２０を中間部１３２２から引っ張ることによってビーム１３４０の長さを長くすることができる。一実施形態では、中間部１３２２は、第１側部１３１８または第２側部１３２０を十分に遠くに引っ張った後、ビーム１３４０を２つに分割する第１側部１３１８または第２側部１３２０を完全に外すことができる。
【００７４】
一実施形態では、ビーム１３４０は、単一の構成要素であってもよい。ビーム１３４０の長さは伸縮部を介して増減することができる。例えば、ビーム１３４０が第１側部部材１３０２に永久的に結合されてもよく、ビーム１３４０が伸縮部を介して第２側部部材１３１０に対して延長されてもよい。ビーム１３４０は、上記のように止め具を介して永久的または一時的に第２側部部材１３１０に接続されてもよい。
【００７５】
ビーム１３４０は、第１アタッチメント１１０を支持することができる。第１アタッチメント１１０は、先に説明したように、ボトル１０２の位置決め及び調整を可能にし得る。アタッチメント１１０は、ビーム１３４０に沿った複数の位置で支持されてもよく、ビーム１３４０の中心には限定されない。第２アタッチメント７１０がビーム１３４０上の異なる位置に沿って使用され、配置されてもよい。
【００７６】
一実施形態によれば、ボトル保持システム１３００は、乳幼児１０６が固定された後にベビーキャリア上に配置されてもよい。或いは、システム１３００は、キャリアの中に、乳幼児１０６をどかせたり置いたりするために、ビーム１３４０を水平方向から垂直方向へ持ち上げられるように、第１側部部材１３０２または第２側部部材１３１０のいずれかに枢動点を提供することができる。一実施形態では、第１側部部材１３０２及び第２側部部材１３１０がベビーキャリアに固定されるときにビーム１３４０を除去することができる。その後、ビーム１３４０は、本明細書で説明するように別の構造に再構成されてもよい。
【００７７】
図１４は、本開示の一態様によるボトル１０２をベビーキャリアに固定するための例示的なシステム１３００の側部１３２０の詳細図である。第２側部１３２０は、中間部１３２２またはその一部が第２側部１３２０に入ることを可能にする開口部１４０２を含むことができる。中間部１３２２が開口部１４０２から出入りすることが可能になることによって、ビーム１３４０の大きさが減少または増加し得る。同様に、第１側部１３１８は、中間部１３２２またはその一部が第１側部１３１８から出入りしてビーム１３４０の長さを減少または増加させる開口部を含むことができる。
【００７８】
図１５は、本開示の一態様によるボトル１０２をベビーキャリアに固定するための例示的なシステム１３００の中間部１３２２の詳細図である。中間部１３２２が第１側部１３１８または第２側部１３２０に出入りし、ビーム１３４０の長さを減少または増加させることができる。図示されるように、中間部１３２２が、第１側部１３１８及び第２側部１３２０よりも小さな直径を有する。または、中間部１３２２が第１側部１３１８及び第２側部１３２０よりも大きな直径を有し、ビーム１３４０の長さを増減させることができる。
【００７９】
中間部１３２２を第１側部１３１８及び第２側部１３２０に固定するために、中間部１３２２が第１ノブ１５０２及び第２ノブ１５０４を含むことができる。ノブ１５０２及び１５０４は、中間部１３２２が第１側部１３１８及び第２側部１３２０の内外に容易に出入りしないような摩擦を提供することができる。ノブ１５０２及び１５０４は、中間部１３２２からわずかに突出するように特徴付けられてもよい。ノブ１５０２及び１５０４上に材料を配置して、中間部１３２２が容易に出入りする状態から摩擦をより増大させるようにしてもよい。中間部１３２２が、第１側部１３１８及び第２側部１３２０から容易に外れないように、他の構造、例えば、留め金または他の留め具を使用することができる。
【００８０】
図１６は、本開示の一態様による模範的なシステムの別の例示的なアタッチメント１６１０の上面斜視図である。第３アタッチメント１６１０は、上述した以前のシステム１００上に配置することができる。アタッチメント１６１０は、構造１０８上に配置され、第１部材３０２または第２部材３３０によって支持されることができる。前述同様に、システム１００の構造１０８は、第１ビーム４１０及び第２ビーム４２０を含むことができる。ベビーキャリアのために、第１ビーム４１０、第２ビーム４２０、またはビーム１３４０上に第３アタッチメント１６１０を配置することができる。さらに、それはこれらのビーム４１０、４２０及び１３４０に沿って様々な場所に配置することができる。
【００８１】
本開示の一実施形態では、構造１０８は、安定器１６２０を含むことができる。安定器１６２０は、システム１００にさらなる強度を提供し得る。安定器１６２０は、第１部材３０２及び第２部材３３０に結合され得る。構造１０８が地面１１２上に置かれたときにシステム１００を転倒させにくくするように、安定器１６２０は実質的に平坦であってもよい。安定器１６２０は、様々な形状及び形態を取り得るものであり、本明細書に開示されるものに限定されない。
【００８２】
図１７は、本開示の一態様による例示的なシステム１００の例示的なアタッチメント１６１０の側面斜視図である。第３のアタッチメント１６１０は、ボトル１０２のための係合部分を含むことができる。アタッチメント１６１０は、第２ビーム４２０上に配置されているように示されているが、上述したビーム４１０、４２０及び１３４０のいずれかに配置することができ、中心位置には限定されない。
【００８３】
図１８は、本開示の一態様による例示的なシステム１００の例示的なアタッチメント１６１０のより詳細な斜視図である。第３のアタッチメント１６１０は、ボトル１０２を固定するためにノブ１８０２、縦方向の空洞１８１０、クランプ１８１２及びラッチ１８１４を含むことができるが、これに限定されない。アタッチメント１６１０に使用される構成要素はこれより少なくても多くてもよく、以下は例示を目的とするものである。
【００８４】
ノブ１８０２は、ハンドル１８０４、円筒形部分１８０６、及び締め付け部分１８０８を含むことができるが、これに限定されない。ノブ１８０２のハンドル１８０４は、使用者がアタッチメント１６１０を構造１０８に締め付けるか及び／又は開放することを可能にする。一実施形態では、ノブ１８０２を時計回りに回すと、構造１０８に対してアタッチメント１６１０を締め付けることができ、反時計回りに回すとそれを開放することができる。
【００８５】
ハンドル１８０４は、円筒形部分１８０６を通って縦方向の空洞１８１０の外側に延在することができる。この部分１８０６は、使用者に応じて短くても長くてもよい。円筒形部分１８０６は、縦方向の空洞１８１０を通って締め付け部分１８０８で終わることができる。締め付け部分１８０８は、クランプ１８１２の内部に配置されてもよい。ノブ１８０２のハンドル１８０４を回すことによって、縦方向の円筒形部分１８０６が縦方向の空洞１８１０の内外に延び、締め付け部分１８０８が下降又は上昇する。一実施形態では、これは、円筒形部分１８０６上のねじ状の部分と縦方向の空洞１８１０内の反対側のねじ状部分とを介して行われてもよい。円筒形部分１８０６及び縦方向の空洞１８１０には雌ねじまたは雄ねじが用いられてもよい。
【００８６】
アタッチメント１６１０の縦方向の空洞１８１０及びクランプ１８１２は単一の固体構造に組み込むことができる。さらに、ラッチ１８１４をこの構造に組み込んでもよい。あるいは、これらの部品の各々は互いに結合されてもよく、取り外し可能であってもよい。
【００８７】
クランプ１８１２は、先に説明したように、ビーム４１０、４２０及び１３４０のうちのいずれか１つの上に挿入されることができる。クランプ１８１２は、ビーム４１０、４２０、及び１３４０上に単純に押し込まれ、構造１０８に対してアタッチメント１６１０をぴったりと堅固に嵌合させることを可能にすることができる。ノブ１８０２の締め付け部分１８０８は、上述したようにハンドル１８０４を回すことによってアタッチメント１６１０をビーム４１０、４２０及び１３４０に固定することができる。アタッチメント１６１０は、ハンドル１８０４を反対方向に回すことによって解放されてもよい。ラッチ１８１４は、ボトル係合部分を提供することができる。
【００８８】
図１９は、本開示の一態様によるノブ１８０２のない例示的なシステム１００の例示的なアタッチメント１６１０の側面図である。先に説明したように、アタッチメント１６１０は、縦方向の空洞１８１０、クランプ１８１２及びラッチ１８１４を含むことができる。縦方向の空洞１８１０は、ノブ１８０２がアタッチメント１６１０をビーム４１０、４２０、及び１３４０に締め付けることを可能にする。雌ねじのようなねじ山が空洞１８１０内に設けられてもよい。
【００８９】
第３のアタッチメント１６１０のクランプ１８１２は、ビーム４１０、４２０、及び１３４０の上にはめ込むことができる。ノブ１８０２の締め付け部分１８０８を下げると、アタッチメント１６１０をビーム４１０、４２０及び１３４０に固定することができる。ラッチ１８１４は、給餌のためにボトル１０２を固定する。
【００９０】
図２０は、本開示の一態様による、例示的なノブ１８０２の側面図である。ノブ１８０２のハンドル１８０４は、使用者がノブ１８０２をねじったり、回したりすることを可能にする幾何学的形状を含むことができる。ハンドル１８０４のねじれは、円筒形部分１８０６を縦方向の空洞１８１０の上下で上下させることができる。円筒形部分１８０６を上下させることにより、アタッチメント１６１０を締め付け部分１８０８を介してビーム４１０、４２０及び１３４０に締め付けることができる。
【００９１】
本開示の一態様による例示的なシステム１００の例示的な取り付け２１００を図２１〜図２５に示す。第４アタッチメント２１００は、ボトル１０２のための係合部分を含むことができる。アタッチメント２１００は、第２ビーム４２０上に配置されているように示されているが、上述したビーム４１０、４２０及び１３４０のいずれかに配置することができ、中心位置には限定されない。
【００９２】
第４のアタッチメント２１００は、限定されるものではないが、縦方向の空洞２１１０、アタッチメントチューブ２１１２、支持ビーム２１１６、及びボトル１０２を固定するためのホルダー２１１４を含むことができる。縦方向の空洞２１１０は、縦方向の空洞２１１０がアタッチメントチューブ２１１２の内部と連通するようにアタッチメントチューブ２１１２に結合されることができる。アタッチメントチューブ２１１２は、前述のビーム４１０、４２０、及び１３４０とほぼ同じ内径２１１２Ａを有してもよい。支持ビーム２１１６は略平面状の部材である。支持ビーム２１１６は、アタッチメントチューブ２１１２から延び、ホルダー２１１４に結合されてもよい。ホルダー２１１４は、ベース部材２１１８で構成されることができる。ベース部材２１１８には開口部２１２０が形成されてもよい。開口部２１２０は、ボトル１０２をその中に保持して固定するための大きさ及び形状を有する。ノブ１８０２（図１８及び図２０）は、以下に説明されるように、アタッチメント２１００をビーム４１０、４２０、及び１３４０に固定するために、縦方向の空洞２１１０内に配置されてもよい。アタッチメント２１００に使用される構成要素はこれより少なくても多くてもよく、以下は例示を目的とするものである。
【００９３】
ノブ１８０２は、ハンドル１８０４（図１８及び図２０）、円筒形部分１８０６（図１８及び図２０）及び締め付け部分１８０８（図１８及び図２０）を含むことができるが、これらに限定されない。ノブ１８０２のハンドル１８０４は、使用者がアタッチメント２１００を構造１０８に締め付けるか及び／又は解放することを可能にする。一実施形態では、ノブ１８０２を時計回りに回すと、アタッチメント２１００を構造１０８に締め付けることができ、反時計回りに回すとそれを解放することができる。
【００９４】
ハンドル１８０４は、円筒形部分１８０６を通って縦方向の空洞２１１０の外側に延在することができる。この部分１８０６は、ユーザに応じて短くても長くてもよい。部分１８０６は、縦方向の空洞２１１０を通り、締め付け部分１８０８で終わることができる。締め付け部分１８０８は、アタッチメントチューブ２１１２の内部に配置されてもよい。ノブ１８０２のハンドル１８０４を回すことによって、縦方向の円筒形部分１８０６が縦方向の空洞２１１０に出入りし、締め付け部分１８０８が下降または上昇する。一実施形態では、これは、円筒形部分１８０６上のねじ状部分と、縦方向の空洞２１１０内の反対側のねじ状部分とを介して行われても良い。円筒形部分１８０６及び縦方向の空洞２１１０には、雌ねじまたは雄ねじが用いられても良い。
【００９５】
よって、アタッチメント２１００を固定するためには、使用者は、ノブ１８０２のハンドル１８０４を回すことにより、縦方向の空洞２１１０から縦方向の円筒形部分１８０６を動かして、締め付け部分１８０８をアタッチメント２１００が結合されたビーム４１０、４２０及び１３４０の１つに係合させる。アタッチメント２１００を緩めるためには、ユーザは、ノブ１８０２のハンドル１８０４を反対方向に回して、これにより縦方向の空洞２１１０内に縦方向の円筒形部分１８０６を動かして、アタッチメント２１００が結合されたビーム４１０、４２０及び１３４０から締め付け部分１８０８を開放させる。
【００９６】
アタッチメント２１００の縦方向の空洞２１１０、アタッチメントチューブ２１１２、支持ビーム２１１６、及びホルダー２１１４は、単一の固体構造に組み込むことができる。あるいは、これらの部品の各々は互いに結合されてもよく、取り外し可能であってもよい。
【００９７】
アタッチメント２１００は、前述のビーム４１０、４２０及び１３４０のうちのいずれか１つをアタッチメントチューブ２１１２を介して挿入することによって、前述のビーム４１０、４２０、及び１３４０のうちのいずれか１つに固定することができる。ノブ１８０２の締め付け部分１８０８は、上述したように、ハンドル１８０４を回転させることによって、アタッチメント２１００をビーム４１０、４２０及び１３４０に対して固定させる。アタッチメント２１００は、ハンドル１８０４を反対方向に回すことによって解放されてもよい。一旦固定されると、使用者はボトル１０２をホルダー２１１４内で不活性に（動かないように）することができる。
【００９８】
前述の説明は、当業者が本明細書に記載の様々な実施形態を実施することを可能にするために提供される。これらの実施形態に対する様々な変更は、当業者には容易に明らかであり、本明細書で定義される一般的な原理は、他の実施形態に適用されてもよい。したがって、特許請求の範囲は、本明細書に示され記載された実施形態に限定されることを意図するものではなく、特許請求の範囲の文言と一致する全範囲が与えられるべきであり、単数形の要素への言及は、具体的に記載されていない限り、「１つだけ」を意味するものではなく、むしろ「１つ以上」を意味するものとする。当業者に知られているか又は後に知られる本開示全体に記載された様々な実施形態の要素に対する全ての構造的及び機能的等価物は、参照により明示的に本明細書に組み込まれ、特許請求の範囲に包含されることを意図する。さらに、ここに開示されたものは、そのような開示が請求項に明示的に列挙されているかどうかにかかわらず、公衆に捧げられるものではない。
【００９９】
本開示は、エドガルド・クローレス（Ｅｄｇａｒｄｏ  Ｃｌｏｒｅｓ）によって、２０１６年８月２日に出願された「ボトル保持システム及びその構成」と題された米国特許出願第１５／２２６，７７１号及び２０１６年１０月２１日に出願された「ボトル保持システム及びその構成」と題された米国特許出願第１５／３３１，０１４号の一部継続出願であり、両者ともその全体が参照により本明細書に明確に組み込まれる。
【符号の説明】
【０１００】
１０２…ボトル
１０４…環境
１０６…乳幼児
１０８…構造
１１０…アタッチメント
１１２…地面
２０２…環境
２０４…ベビーベッド
２０６…第１側部
２０８…第２側部
２１０…留め具
３０２…第１部材
３０４…第１側端部
３０６…第２側端部
３０８…第１ロッド
３１０…第２ロッド
３１２…矩形部分
３１４…第１コネクタポイント
３１６…第２コネクタポイント
３２０…第１ロッド
３３０…第２部材
３３２…第２側端部
３３４…第１側端部
３３６…第１ロッド
３３８…第２ロッド
３４０…矩形部分
３４２…第１コネクタポイント
３４４…第２コネクタポイント
４１０…第１ビーム
４２０…第２ビーム
４３２…ボルト
４３４…フック
４３６…留め金（クラスプ）
５０２…ポイント
６０２…溝
７１０…アタッチメント
７１２…クランプ
７１４…キャッチ
７１６…溶接部
１１０２…アジャスター
１２０２…頂部
１２０４…中間部
１２０６…底部
１３００…ボトル保持システム
１３０２…第１側部部材
１３０４…外側部分
１３０６…内側部分
１３０８…スロット
１３１０…第２側部部材
１３１２…外側部分
１３１４…内側部分
１３１６…スロット
１３１８…第１側部
１３２０…第２側部
１３２２…中間部
１３４０…ビーム
１４０２…開口部
１５０２…第１ノブ
１５０４…第２ノブ
１６１０…アタッチメント
１６２０…安定器
１８０２…ノブ
１８０４…ハンドル
１８０６…円筒形部分
１８０８…締め付け部分
１８１０…空洞
１８１２…クランプ
１８１４…ラッチ
２１００…アタッチメント
２１１０…空洞
２１１２…アタッチメントチューブ
２１１２Ａ…内径
２１１４…ホルダー
２１１６…支持ビーム
２１１８…ベース部材
２１２０…開口部
【図１】
2018020118.tif 000003
【図２】
2018020118.tif 000004
【図３】
2018020118.tif 000005
【図４】
2018020118.tif 000006
【図５】
2018020118.tif 000007
【図６】
2018020118.tif 000008
【図７】
2018020118.tif 000009
【図８】
2018020118.tif 000010
【図９】
2018020118.tif 000011
【図１０】
2018020118.tif 000012
【図１１】
2018020118.tif 000013
【図１２】
2018020118.tif 000014
【図１３】
2018020118.tif 000015
【図１４】
2018020118.tif 000016
【図１５】
2018020118.tif 000017
【図１６】
2018020118.tif 000018
【図１７】
2018020118.tif 000019
【図１８】
2018020118.tif 000020
【図１９】
2018020118.tif 000021
【図２０】
2018020118.tif 000022
【図２１】
2018020118.tif 000023
【図２２】
2018020118.tif 000024
【図２３】
2018020118.tif 000025
【図２４】
2018020118.tif 000026
【図２５】
2018020118.tif 000027
【外国語明細書】
2018020118000001.pdf